【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
少なくとも１つのデバイスを含む分散型無線ネットワークにおけるチャンネルタイム予約のための方法において、
所属された第一のビーコングループ内で用いられることなく、前記第一のビーコングループ内の相手デバイスのビーコングループである第二のビーコングループにはデータのトランスミッタを有しないデータスロットである少なくとも１つの共通自由スロットに対し、前記相手デバイスへ第一の予約要求を行うステップと；
前記共通自由スロットに対する前記第一の予約要求のうち前記第二のビーコングループ内で特に予約が進められていないスロットに関する予約要求に対する前記相手デバイスの受諾応答に応じて確認表示を行い、データを伝送するステップと；
を含むことを特徴とする分散型無線ネットワークにおけるチャンネルタイム予約のための方法。
【請求項２】
前記分散型無線ネットワークが、広帯域のアドホック無線パーソナルエリアネットワークであることを特徴とする請求項１に記載の分散型無線ネットワークにおけるチャンネルタイム予約のための方法。
【請求項３】
前記分散型無線ネットワーク内の前記少なくとも１つのデバイスが自己のビーコングループのデータスロットの状態に関してブロードキャストする予約指示情報を受信するステップと、前記予約指示情報に基づいて前記少なくとも１つの共通自由スロットを決めるステップと、をさらに含むことを特徴とする請求項１に記載の分散型無線ネットワークにおけるチャンネルタイム予約のための方法。
【請求項４】
前記予約指示情報が、所定の周期になったとき、および前記少なくとも１つのデバイスによりブロードキャストされる予約指示情報が受信されたときのいずれかに該当する度に前記少なくとも１つのデバイスのそれぞれにより前記データスロットの状態に対応して更新されることを特徴とする請求項３に記載の分散型無線ネットワークにおけるチャンネルタイム予約のための方法。
【請求項５】
前記予約指示情報が、当該予約指示情報をブロードキャストする前記デバイスのそれぞれが属するビーコングループ内の１つのスーパーフレームのデータスロットに関する状態情報を含み、前記少なくとも１つのデバイスのビーコンを通じてブロードキャストされることを特徴とする請求項３に記載の分散型無線ネットワークにおけるチャンネルタイム予約のための方法。
【請求項６】
前記状態情報が、前記予約指示情報をブロードキャストする前記デバイスの立場から、前記各データスロットが使用できる空き状態および使用できない状態のいずれかに該当することを表示するものであることを特徴とする請求項５に記載の分散型無線ネットワークにおけるチャンネルタイム予約のための方法。
【請求項７】
前記使用できない状態が、前記予約指示情報をブロードキャストする前記少なくとも１つのデバイスがユニキャストまたはマルチキャスト通信方式のトランスミッタおよびレシーバーのいずれかに該当する状態、前記ビーコングループに前記通信方式のトランスミッタおよびレシーバーのいずれかが存在する状態の一方であることを特徴とする請求項６に記載の分散型無線ネットワークにおけるチャンネルタイム予約のための方法。
【請求項８】
前記予約指示情報が、前記データスロット毎に少なくとも１つのビットを用いて前記状態情報を表示することを特徴とする請求項７に記載の分散型無線ネットワークにおけるチャンネルタイム予約のための方法。
【請求項９】
前記第二のビーコングループ内では、前記共通自由スロットが、通信がなく空いている場合およびマルチキャスト通信方式のレシーバーだけが存在する場合のいずれかに該当し、前記第一のビーコングループ内では、前記共通自由スロットが、通信がなく空いているスロットであることを特徴とする請求項１に記載の分散型無線ネットワークにおけるチャンネルタイム予約のための方法。
【請求項１０】
前記第一の予約要求がユニキャスト通信のためのものである場合に、前記共通自由スロットが、前記第二のビーコングループ内で通信がなく空いているスロットであることを特徴とする請求項１に記載の分散型無線ネットワークにおけるチャンネルタイム予約のための方法。
【請求項１１】
前記受諾応答が、前記少なくとも１つの共通自由スロットの全てに対し前記第二のビーコングループ内で前記第一の予約要求による予約以外の他の予約が進められている場合には、前記第一の予約要求を拒絶するものであることを特徴とする請求項１に記載の分散型無線ネットワークにおけるチャンネルタイム予約のための方法。
【請求項１２】
前記受諾応答が、前記相手デバイスが第二のビーコングループ内の隣接デバイスから前記共通自由スロットに対し前記第一の予約要求以外の他の予約要求を受けたとき、所定の方法で決められた優先順位の高い場合に行われることを特徴とする請求項１に記載の分散型無線ネットワークにおけるチャンネルタイム予約のための方法。
【請求項１３】
前記受諾応答が、前記第一の予約要求と前記他の予約要求の優先順位とが同じであっても、これらの予約要求に予め含まれた任意の数に基づいて決められた優先順位の高い場合に行われることを特徴とする請求項１２に記載の分散型無線ネットワークにおけるチャンネルタイム予約のための方法。
【請求項１４】
前記第一の予約要求の後に、前記第一のビーコングループ内の他のデバイスから前記共通自由スロットに対し、優先順位の高い他の予約要求を受信したときに、前記相手デバイスの受諾応答にもかかわらず、前記相手デバイスとの予約を取り消すステップをさらに含むことを特徴とする請求項１に記載の分散型無線ネットワークにおけるチャンネルタイム予約のための方法。
【請求項１５】
前記相手デバイスが、前記受諾応答を行った後に、第二のビーコングループ内の他のデバイスから前記共通自由スロットに対して優先順位の高い他の受諾応答があったことを認識したとき、前記確認表示にもかかわらず、前記第一の予約要求を取り消すことを特徴とする請求項１に記載の分散型無線ネットワークにおけるチャンネルタイム予約のための方法。
【請求項１６】
前記分散型無線ネットワークの前記少なくとも１つのデバイスによりそれぞれのビーコングループでのデータスロットの状態に関してブロードキャストされる予約指示情報を通じて、前記相手デバイスが前記優先順位の高い他の受諾応答があったことを認識するようになることを特徴とする請求項１５に記載の分散型無線ネットワークにおけるチャンネルタイム予約のための方法。
【請求項１７】
少なくとも１つのデバイスを含む分散型無線ネットワークにおけるチャンネルタイム予約システムにおいて、
第一の予約要求を受信し、前記第一の予約要求のうち自己の第二のビーコングループ内で特に予約が進められていないスロットに関する予約要求に対し受諾応答を出力する相手デバイスと；
所属された第一のビーコングループ内で用いられることなく、前記第二のビーコングループにはデータのトランスミッタを有しないデータスロットである少なくとも１つの共通自由スロットに対し前記第一の予約要求を行い、前記受諾応答に応じて確認表示を行い、データを伝送するソースデバイスと；
を含むことを特徴とする分散型無線ネットワークにおけるチャンネルタイム予約システム。
【請求項１８】
前記分散型無線ネットワークが、広帯域のアドホック無線パーソナルエリアネットワークであることを特徴とする請求項１７に記載の分散型無線ネットワークにおけるチャンネルタイム予約システム。
【請求項１９】
前記ソースデバイスが、前記分散型無線ネットワークの前記少なくとも１つのデバイスが自己のビーコングループのデータスロットの状態に関してブロードキャストする予約指示情報を受信し、前記予約指示情報に基づいて前記少なくとも１つの共通自由スロットを決めることを特徴とする請求項１７に記載の分散型無線ネットワークにおけるチャンネルタイム予約システム。
【請求項２０】
前記予約指示情報が、所定の周期になったとき、および前記少なくとも１つのデバイスによりブロードキャストされる予約指示情報を受信されたときのいずれかに該当する度に前記少なくとも１つのデバイスのそれぞれにより前記データスロットの状態に対応して更新されることを特徴とする請求項１９に記載の分散型無線ネットワークにおけるチャンネルタイム予約システム。
【請求項２１】
前記予約指示情報が、当該予約指示情報をブロードキャストする前記デバイスのそれぞれが属するビーコングループ内の１つのスーパーフレームのデータスロットに関する状態情報を含み、前記少なくとも１つのデバイスのビーコンを通じてブロードキャストされることを特徴とする請求項１９に記載の分散型無線ネットワークにおけるチャンネルタイム予約システム。
【請求項２２】
前記状態情報が、前記予約指示情報をブロードキャストする前記デバイスの立場から、前記各データスロットが使用できる空き状態および使用できない状態のいずれかに該当することを表示するものであることを特徴とする請求項２１に記載の分散型無線ネットワークにおけるチャンネルタイム予約システム。
【請求項２３】
前記使用できない状態が、前記予約指示情報をブロードキャストする前記少なくとも１つのデバイスがユニキャストまたはマルチキャスト通信方式のトランスミッタおよびレシーバーのいずれかに該当する状態、前記ビーコングループに前記通信方式のトランスミッタおよびレシーバーのいずれかが存在する状態の一方であることを特徴とする請求項２２に記載の分散型無線ネットワークにおけるチャンネルタイム予約システム。
【請求項２４】
前記予約指示情報が、前記データスロット毎に少なくとも１つのビットを用いて前記状態情報を表示することを特徴とする請求項２２に記載の分散型無線ネットワークにおけるチャンネルタイム予約システム。
【請求項２５】
前記共通自由スロットが、前記第二のビーコングループ内では通信がなく空いている場合およびマルチキャスト通信方式のレシーバーだけが存在する場合のいずれかに該当し、前記第一のビーコングループ内では通信がなく空いているスロットであることを特徴とする請求項１７に記載の分散型無線ネットワークにおけるチャンネルタイム予約システム。
【請求項２６】
前記第一の予約要求がユニキャスト通信のためのものである場合に、前記共通自由スロットが、前記第二のビーコングループ内で通信がなく空いているスロットであることを特徴とする請求項１７に記載の分散型無線ネットワークにおけるチャンネルタイム予約システム。
【請求項２７】
前記相手デバイスが、前記少なくとも１つの共通自由スロットの全てに対し第二のビーコングループ内で前記第一の予約要求による予約以外の他の予約が進められている場合には、前記第一の予約要求を拒絶することを特徴とする請求項１７に記載の分散型無線ネットワークにおけるチャンネルタイム予約システム。
【請求項２８】
前記相手デバイスが、第二のビーコングループ内の隣接デバイスから前記共通自由スロットに対し前記第一の予約要求以外の他の予約要求を受けたとき、所定の方法で決められた優先順位に基づいて高い優先順位を有する予約要求に対し受諾応答を行うことを特徴とする請求項１７に記載の分散型無線ネットワークにおけるチャンネルタイム予約システム。
【請求項２９】
前記相手デバイスが、前記第一の予約要求と前記他の予約要求の優先順位とが同じであっても、これらの予約要求に予め含まれた任意の数に基づいて１つの予約要求に対し受諾応答を行うことを特徴とする請求項２８に記載の分散型無線ネットワークにおけるチャンネルタイム予約システム。
【請求項３０】
前記ソースデバイスが、前記第一の予約要求の後に、前記第一のビーコングループ内の他のデバイスから前記共通自由スロットに対して優先順位の高い他の予約要求を受信したときに、前記相手デバイスの受諾応答にもかかわらず、前記相手デバイスとの予約を取り消すことを特徴とする請求項１７に記載の分散型無線ネットワークにおけるチャンネルタイム予約システム。
【請求項３１】
前記相手デバイスが、前記受諾応答を行った後に、第二のビーコングループ内の他のデバイスから前記共通自由スロットに対して所定の優先順位の高い他の受諾応答があったことを認識したとき、前記確認表示にもかかわらず、前記予約要求を取り消すことを特徴とする請求項１７に記載の分散型無線ネットワークにおけるチャンネルタイム予約システム。
【請求項３２】
前記相手デバイスが、前記分散型無線ネットワークの前記少なくとも１つのデバイスによりそれぞれのビーコングループでのデータスロットの状態に関してブロードキャストされる予約指示情報を通じて、前記優先順位の高い他の受諾応答があったことを認識するようになることを特徴とする請求項３１に記載の分散型無線ネットワークにおけるチャンネルタイム予約システム。
【請求項３３】
少なくとも１つのデバイスを含む分散型無線ネットワークにおける媒体アクセス制御方法において、
所属された第一のビーコングループ内の前記デバイスが自己のビーコングループのデータスロットの状態に関してブロードキャストする予約指示情報を受信するステップと；
前記第一のビーコングループ内で用いられることなく、前記第一のビーコングループ内の相手デバイスのビーコングループである第二のビーコングループにはデータのトランスミッタを有しないデータスロットである少なくとも１つの共通自由スロットを前記予約指示情報に基づいて決めるステップと；
を含むことを特徴とする分散型無線ネットワークにおける媒体アクセス制御方法。
【請求項３４】
前記ブロードキャストされる予約指示情報を受信したとき、および所定の周期になったときのいずれかに該当する度に前記データスロットの状態に対応して更新した前記予約指示情報をブロードキャストするステップをさらに含むことを特徴とする請求項３３に記載の分散型無線ネットワークにおける媒体アクセス制御方法。
【請求項３５】
前記予約指示情報が、当該予約指示情報をブロードキャストする前記デバイスのそれぞれが属するビーコングループ内の１つのスーパーフレームの２５６個のデータスロットに関する状態情報を含み、前記少なくとも１つのデバイスのビーコンを通じてブロードキャストされることを特徴とする請求項３３に記載の分散型無線ネットワークにおける媒体アクセス制御方法。
【請求項３６】
前記状態情報が、前記予約指示情報をブロードキャストする前記デバイスの立場から、前記各データスロットが使用できる空き状態および使用できない状態のいずれかに該当することを表示するものであることを特徴とする請求項３５に記載の分散型無線ネットワークにおける媒体アクセス制御方法。
【請求項３７】
前記予約指示情報が、２５６個の前記状態情報を含み、前記状態情報が、それぞれ１ビットであることを特徴とする請求項３６に記載の分散型無線ネットワークにおける媒体アクセス制御方法。
【請求項３８】
少なくとも１つのデバイスから構築される分散型無線ネットワークにおける媒体アクセス制御方法において、
前記分散型無線ネットワークに存在する所定のデバイスが自己の属するビーコングループ内に存在するデバイスの予約指示情報を生成するステップと、
前記所定のデバイスが生成した前記予約指示情報をブロードキャストするステップと、
を含むことを特徴とする分散型無線ネットワークにおける媒体アクセス制御方法。
【請求項３９】
前記予約指示情報が、前記所定のデバイスが属するビーコングループのスーパーフレームを構成するデータスロットに対する予約可能状態情報を含むことを特徴とする請求項３８に記載の分散型無線ネットワークにおける媒体アクセス制御方法。
【請求項４０】
前記スーパーフレームは２５６個のデータスロットを有し、
前記予約可能状態情報は前記２５６個のデータスロットに対する予約可能状態情報であることを特徴とする請求項３９に記載の分散型無線ネットワークにおける媒体アクセス制御方法。
【請求項４１】
１つのデータスロットに対する予約可能状態情報は１ビットであり、
前記ビーコングループ内に存在するデバイスの予約可能なデータスロットに対する予約状態情報のビットは１であり、前記ビーコングループ内に存在するデバイスの予約不可能なデータスロットに対する予約状態情報のビットは０であることを特徴とする請求項３９に記載の分散型無線ネットワークにおける媒体アクセス制御方法。
【請求項４２】
前記予約指示情報が、予約指示情報ＩＤ及び前記スーパーフレームを構成するデータスロットに対する前記予約可能状態情報の長さ情報を更に含むことを特徴とする請求項３８に記載の分散型無線ネットワークにおける媒体アクセス制御方法。
【請求項４３】
前記予約指示情報ＩＤは１バイトであり、
前記長さ情報は１バイトであることを特徴とする請求項４２に記載の分散型無線ネットワークにおける媒体アクセス制御方法。
【請求項４４】
前記予約指示情報が、前記ビーコングループ内に存在する前記デバイスが予約できるデータスロットを示す情報を含んでいることを特徴とする請求項３８に記載の分散型無線ネットワークにおける媒体アクセス制御方法。
【請求項４５】
前記予約指示情報が、前記ビーコングループ内に存在する前記デバイスが予約できないデータスロットを示す情報を含んでいることを特徴とする請求項３８に記載の分散型無線ネットワークにおける媒体アクセス制御方法。
【請求項４６】
少なくとも１つのデバイスから構築される分散型無線ネットワークにおける媒体アクセス制御方法において、
前記分散型無線ネットワークに存在する所定のデバイスが自己の属するビーコングループ内に存在するデバイスの予約指示情報をブロードキャストすることを特徴とする分散型無線ネットワークにおける媒体アクセス制御方法。
【請求項４７】
少なくとも１つのデバイスから構築される分散型無線ネットワークにおける媒体アクセス制御方法において、
前記分散型無線ネットワークに存在するすべてのデバイスが自己の属するビーコングループ内に存在するデバイスの予約指示情報を生成するステップと、
すべての前記デバイスが生成した前記予約指示情報を同時にブロードキャストするステップと、
を含むことを特徴とする分散型無線ネットワークにおける媒体アクセス制御方法。
【請求項４８】
分散型無線ネットワークにおける媒体アクセス制御方法において、
前記分散型無線ネットワークに存在するデバイスが、スーパーフレームに含まれたそれぞれのスロットに対して予約可能か否かを示すそれぞれのビットが羅列されたビットマップを含む予約情報を生成する段階と、
前記デバイスが、前記生成した予約情報を他のデバイスへ転送する段階と、
を含むことを特徴とする分散型媒体アクセス制御方法。
【請求項４９】
前記スーパーフレームは、２５６個のスロットを含み、前記予約情報は、前記２５６個のスロットに対して予約可能か否かを示すそれぞれのビットが羅列されたビットマップを含むことを特徴とする請求項４８に記載の分散型媒体アクセス制御方法。
【請求項５０】
１つのスロットに対する予約可否を示す状態情報は１ビットであり、
予約可否を示すビットが「１」であるスロットは予約可能なスロットであり、前記予約可否を示すビットが「０」であるスロットは予約不可能なスロットであることを特徴とする請求項４８に記載の分散型媒体アクセス制御方法。
【請求項５１】
前記予約情報は、ＩＤ及び前記ビットマップの長さ情報を更に含むことを特徴とする請求項４８に記載の分散型媒体アクセス制御方法。
【請求項５２】
前記ＩＤは１バイトであり、前記長さ情報は１バイトであることを特徴とする請求項５１に記載の媒体アクセス制御方法。
【請求項５３】
分散型無線ネットワークにおける媒体アクセス制御方法において、
前記分散型無線ネットワークに存在するデバイスが、スーパーフレームに含まれたそれぞれのスロットに対して予約可能か否かを示すそれぞれのビットが羅列されたビットマップを含む予約情報を他のデバイスへ通報することを特徴とする分散型媒体アクセス制御方法。
【請求項５４】
前記スーパーフレームは、２５６個のスロットを含み、前記予約情報は、前記２５６個のスロットに対して予約可能か否かを示すそれぞれのビットが羅列されたビットマップを含むことを特徴とする請求項５３に記載の分散型媒体アクセス制御方法。
【請求項５５】
１つのスロットに対する予約可否を示す状態情報は１ビットであり、
予約可否を示すビットが「１」であるスロットは予約可能なスロットであり、前記予約可否を示すビットが「０」であるスロットは予約不可能なスロットであることを特徴とする請求項５３に記載の分散型媒体アクセス制御方法。
【請求項５６】
前記予約情報は、ＩＤ及び前記ビットマップの長さ情報を更に含むことを特徴とする請求項５３に記載の分散型媒体アクセス制御方法。
【請求項５７】
前記ＩＤは１バイトであり、前記長さ情報は１バイトであることを特徴とする請求項５６に記載の分散型媒体アクセス制御方法。
【請求項５８】
分散型無線ネットワークの媒体アクセス制御方法において、
スーパーフレームに含まれたそれぞれのスロットに対して予約可能か否かを示すそれぞれのビットが羅列されたビットマップを含む予約情報を用いることを特徴とする分散型媒体アクセス制御方法。
【請求項５９】
前記スーパーフレームは、２５６個のスロットを含み、前記予約情報は、前記２５６個のスロットに対して予約可能か否かを示すそれぞれのビットが羅列されたビットマップを含むことを特徴とする請求項５８に記載の分散型媒体アクセス制御方法。
【請求項６０】
１つのスロットに対する予約可否を示す状態情報は１ビットであり、
予約可否を示すビットが「１」であるスロットは予約可能なスロットであり、前記予約可否を示すビットが「０」であるスロットは予約不可能なスロットであることを特徴とする請求項５８に記載の分散型媒体アクセス制御方法。
【請求項６１】
前記予約情報は、ＩＤ及び前記ビットマップの長さ情報を更に含むことを特徴とする請求項５８に記載の分散型媒体アクセス制御方法。
【請求項６２】
前記ＩＤは１バイトであり、前記長さ情報は１バイトであることを特徴とする請求項６１に記載の分散型媒体アクセス制御方法。
【請求項６３】
分散型無線ネットワークの媒体アクセス制御方法において、
スーパーフレームに含まれたそれぞれのスロットに対する状態を示す段階を含み、
前記スーパーフレームは、ＩＤ、長さ情報及び前記スロットに対する予約可能状態情報が収録された予約情報を含むことを特徴とする分散型媒体アクセス制御方法。
【手続補正２】
【補正対象書類名】図面
【補正対象項目名】図６
【補正方法】変更
【補正の内容】
【図６】
2005323375.tif 000001